(57)【特許請求の範囲】
【請求項１】
固定側に設けたレールを、被取付物に設けたレール挿入溝部に挿入した際に、ばね力に抗して後退し、前記レール挿入溝部に前記レールが挿入された時点で、ばね力により前進して前記レールに係合するレール係合部材であって、前記後退時に、前記レールの辺縁部の端面に係合する係合片部を備えたことを特徴とするレール係合部材。
【請求項２】
固定側に設けたレールに対して取り付け、取り外し可能な電子機器であって、
電子機器は、ケース本体を有し、前記ケース本体の裏面に、前記レールを挿入するレール挿入溝部と、前記レール挿入溝部に前記レールを挿入した際にばね力に抗して後退するとともに前記レール挿入溝部に前記レールが挿入された時点でばね力により前進して前記レールに係合するレール係合部材と、を有し、
前記レール係合部材は、前記後退時に、前記レールの辺縁部の端面に係合する係合片部を備えていることを特徴とする電子機器。
【請求項３】
固定側に設けたレールを、被取付物に設けたレール挿入溝部に挿入した際に、ばね力に抗して後退し、前記レール挿入溝部に前記レールが挿入された時点で、ばね力により前進して前記レールに係合するレール係合部材を有する取付構造において、
前記レール係合部材は、外力によりばね力に抗して後退させた時に前記レールの辺縁部の端面に係合する係合片部を備え、前記係合片部のレール辺縁部端面への係合により前記後退の位置に保持されることを特徴とする取付構造。
【請求項４】
前記レール係合部材の係合片部を、当該レール係合部に設けた柱状部の自由端に設けると共に、
前記被取付物側の底面には、前記レール係合部材を摺動可能に取り付けるためのレール係合部材摺動溝部があって、その溝部に、前記レール係合部材を後退させた時に前記レール係合片部に当接して前記レール係合部材の柱状部の係合片部を前記レールの辺縁部の端面に押し込み係合させる押圧部を設けたことを特徴とする請求項３記載の取付構造。
【請求項５】
前記レール係合部材の係合片部の基部に突起部を設け、
前記レール係合部材摺動溝部に、前記レール係合部材を後退させた時に前記突起部に当接するストッパー部を設けたことを特徴とする請求項４記載の取付構造。
【発明の詳細な説明】
【０００１】
【発明の属する技術分野】
本発明は、温度調整器、タイマー等の電子機器、電子装置をレール(ＤＩＮレール)に取り付ける際に使用するレール係合部材及びこれを用いた電子機器並びにレール係合部材を用いた取付構造に関するものである。
【０００２】
【従来の技術】
従来の、この種の取付構造としては、固定側に設けたレールを、電子機器等に設けたレール挿入溝部に挿入した際に、ばね力に抗して後退し、レール挿入溝部にレールが挿入された時点で、ばね力により前進してレールに係合するレール係合部材を有するものがある。
【０００３】
すなわち、図７に示すように、電子機器Ａに設けたレール挿入溝部４０の下方にはレール係合部材摺動溝部４３が形成してあり、このレール係合部材摺動溝部４３の左、右側壁部には断面コ字形状の摺動溝部４４が形成してあり、レール係合部材摺動溝部４３の底面部には、センターＳから左右に等距離に位置させて突起部４５、４６が形成してある。
【０００４】
また、レール係合部材４７は、部材本体４７Ａの左、右縁部にレール部４８を形成し、部材本体４７の中央部に柱状部４９を、また、この柱状部４９の左右に位置させて逆ハ字状に成るばね片部５０Ａ、５０Ｂをそれぞれ形成し、部材本体４７Ａの上縁部に，この部材本体４７Ａの上端面部より上方に突出する係合爪部５１を形成して構成してある。
【０００５】
そして、レール係合部材４７を、その左右のレール部４８を摺動溝部４４に摺動可能に挿入してレール係合部材摺動溝部４３に取り付けて、左のばね片部５０Ａを左の突起部４５に、右のばね片部５０Ｂを右の突起部４６にそれぞれ摺接させてある。
【０００６】
そして、電子機器Ａの裏側をレール３０に沿わせて、係合爪部５１の外面をレール（図示せず）の下縁部に当てて、電子機器Ａをレールに押し付けることにより、係合爪部５１の外面が傾斜面になっているために、押付け力が係合爪部５１を押し下げる力に変換されて、レール係合部材４７が押し下げられ、ばね片部５０Ａ、５０Ｂが左右の突起部４５，４６により内方に寄せられてばね力を蓄える。
【０００７】
上記のようにレール係合部材４７が押し下げられることにより、電子機器Ａのレール用溝部４０にレールが挿入される。そして、電子機器Ａを少し下げることにより、レール挿入溝部４０の上側壁部に設けた係合爪部４１の内面とレール用溝部４０の底面部との間にレールの上縁部が挿入され、また、レール係合部材４７は、左右のばね片部５０Ａ、５０Ｂの付勢力により押上げられて、レール係合部材４７のレール当接面がレールの下縁部に当接して、係合爪部５１がレールに係合される。このようにして、電子機器Ａがレールに取り付けられる。
【０００８】
また、電子機器Ａをレールから取り外す場合には、レール係合部材４７を工具（図示せず）を用いて押し下げて、レール係合部材４７のレール当接面をレールの下縁部より離すと共に、係合爪部５１をレールより離して、レールの下縁部の係合を解除して、電子機器Ａをレールから取り外す。
【０００９】
【発明が解決しようとする課題】
しかしながら、従来の取付構造にあっては、レール係合部材４７を工具で押し下げた状態で、このレール係合部材４７から工具を離すと、レール係合部材４７は、左右のばね片部５０Ａ、５０Ｂの付勢力により押上げられて、係合爪部５１がレールに係合する。
【００１０】
また、電子機器Ａの形状が大きく、レール係合部材４７を複数必要とする場合がある。このような電子機器Ａをレールから取り外す場合には、複数のレール係合部材４７を同時に工具で押し下げながら取り外し作業を行わなければならず、一人での取り外し作業が困難であるという問題点があった。
【００１１】
本発明は、上記の問題点に着目して成されたものであって、その第１の目的とするところは、後退位置に保持することができるレール係合部材を提供することにある。
【００１２】
また、本発明の第２の目的とするところは、形状が大きくレール係合部材を複数備えた被取付物をレールから取り外す場合に、それぞれのレール係合部材を後退位置に保持し得て、取り外し作業を容易にする取付構造を提供することにある。
【００１３】
【課題を解決するための手段】
上記の第１の目的を達成するために、請求項１の発明に係るレール係合部材は、固定側に設けたレールを、被取付物に設けたレール挿入溝部に挿入した際に、ばね力に抗して後退し、前記レール挿入溝部に前記レールが挿入された時点で、ばね力により前進して前記レールに係合するレール係合部材であって、前記後退時に、前記レールの辺縁部の端面に係合する係合片部を備えたことを特徴としており、又、請求項２の発明に係る電子機器は、固定側に設けたレールに対して取り付け、取り外し可能な電子機器であって、ケース本体を有し、前記ケース本体の裏面に、前記レールを挿入するレール挿入溝部と、前記レール挿入溝部に前記レールを挿入した際にばね力に抗して後退するとともに前記レール挿入溝部に前記レールが挿入された時点でばね力により前進して前記レールに係合するレール係合部材と、を有し、前記レール係合部材は、前記後退時に、前記レールの辺縁部の端面に係合する係合片部を備えていることを特徴とする。
【００１４】
かかる構成により、このレール係合部材を外力によりばね力に抗して後退させた場合に、係合片部をレールの辺縁部の端面に係合させることができる。このために、レール係合部材を後退位置に保持することができる。したがって、例えば、形状が大きくレール係合部材を複数備えた被取付物（電子機器等）をレールから取り外す場合には、それぞれのレール係合部材を後退位置に保持することができるために、一人で、その取り外し作業を難なく行うことができる。
【００１９】
また、上記の第２の目的を達成するために、請求項３の発明に係る取付構造は、固定側に設けたレールを、被取付物に設けたレール挿入溝部に挿入した際に、ばね力に抗して後退し、前記レール挿入溝部に前記レールが挿入された時点で、ばね力により前進して前記レールに係合するレール係合部材を有する取付構造において、前記レール係合部材が、外力によりばね力に抗して後退させた時に前記レールの辺縁部の端面に係合する係合片部を備え、前記係合片部のレール辺縁部端面への係合により前記後退の位置に保持されて構成した。
【００２０】
かかる構成により、レール係合部材を外力によりばね力に抗して後退させた場合に、係合片部をレールの辺縁部の端面に係合させることで一つ一つのレール係合部材を後退位置に保持することができるので、上記した請求項３の発明の作用効果と同様な作用効果を奏し得る。
【００２１】
また、上記の第２の目的を達成するために、請求項４の発明に係る取付構造は、前記レール係合部材の係合片部を、当該レール係合部に設けた柱状部の自由端に設けると共に、前記被取付物側の底面には、前記レール係合部材を摺動可能に取り付けるためのレール係合部材摺動溝部があって、その溝部に、前記レール係合部材を後退させた時に前記レール係合片部に当接して前記レール係合部材の柱状部の係合片部を前記レールの辺縁部の端面に押し込み係合させる押圧部を設けて構成した。
【００２２】
かかる構成により、前記レール係合部材を外力によりばね力に抗して後退させた場合に、押圧部が係合片部に当接して、この係合片部を前記レールの辺縁部の端面に押し込み係合させるようになって、一つ一つのレール係合部材を後退位置に保持することができるので、上記した請求項３の発明の作用効果と同様な作用効果を奏し得る。
【００２３】
また、上記の第２の目的を達成するために、請求項５の発明に係る取付構造は、前記レール係合部材の係合片部の基部に突起部を設け、前記レール係合部材摺動溝部に、前記レール係合部材を後退させた時に前記突起部に当接するストッパー部を設けて構成した。
【００２４】
かかる構成により、前記レール係合部材を外力によりばね力に抗して後退させた場合に、押圧部が突起部に当接して前記係合片部を前記レールの辺縁部の端面に押し込み係合させると共に、ストッパー部が突起部の下に当接して一つ一つのレール係合部材を後退位置に保持することができるので、上記した請求項３の発明の作用効果と同様な作用効果を奏し得る。
【００２５】
【発明の実施の形態】
以下、本発明の実施の形態を図面に基づいて説明する。
図１は本発明に係る取付構造の正面図、図２は同取付構造において、電子機器のケース本体の裏面に形成されたレール用溝部の正面図、図３は図２のＸ−Ｘ線に沿う断面図、図４は図２のＹ−Ｙ線に沿う断面図である。
【００２６】
本発明に係る取付構造は、被取付物である電子機器Ａの装置本体１１の裏側に形成されたレール用溝部１２と、このレール用溝部１２の下方に位置するレール係合部材摺動溝部１６と、このレール係合部材摺動溝部１６に移動可能に設けられたレール係合部材１と、このレール係合部材１を外力によりばね力に抗して後退させた場合に、レール係合部材１を後退位置に保持する保持手段とを備えている。
【００２７】
そして、本発明に係るレール係合部材１は、図５に示すように板状で長方形状の部材本体２を有しており、この部材本体２の左、右縁部には、この部材本体２より肉薄なレール部２Ａ、２Ｂが形成してあり、また、部材本体２の中央部には柱状部３が、また、この柱状部３の左右に位置させてばね片部４、５がそれぞれ形成してある。この柱状部３の自由端部の内側には係合片部６が形成してあり、この係合片部６は内方イに凸になるように湾曲しており、この係合片部６の基部には内方イに向かって突出する突起部７が形成してある。
【００２８】
また、ばね片部４、５は、柱状部３を中にして逆ハ字状に成されており、ばね片部４、５の外面部４ａ、５ａは、柱状部３側に凸となる曲線部ロと、この曲線部ロの端部側に連なる柱状部３側に凹となる逆曲線部ハとから構成してある。
【００２９】
また、部材本体２の上端面部２Ａはレール当接面にしてあり、また、柱状部３の端面部３Ａ及びばね片部４、５の端面部４Ａ、５Ａはいづれもレール当接面にしてある。また、部材本体２の上縁部には上端面部２Ａより上方に突出する係合爪部８が形成してある。そして、この係合爪部８の外面は傾斜面８Ａで構成してある。
【００３０】
また、部材本体２には、柱状部３及びばね片部４、５の基部側に位置させて工具挿入用の孔部９が形成してある。
【００３１】
電子機器Ａのケース本体１１の裏側には、図２に示すように左右方向にレール挿入溝部１２が形成してあり、このレール挿入溝部１２の上側壁部１３には、左右方向に所定の間隔をおいて複数の係合爪部１４が形成してあり、係合爪部１４の内面とレール用溝部１２の底面部１２ａとの間はレール挿入溝１５が形成してある。
【００３２】
また、電子機器のケース本体１１の裏側には、レール用溝部１２の下方に位置させてレール係合部材摺動溝部１６が形成してあり、このレール係合部材摺動溝部１６は、ケース本体１１の裏側に左右方向に所定の間隔をおいて複数設けてある。
【００３３】
レール係合部材摺動溝部１６の左、右側壁部には断面コ字形状の摺動溝部１７が形成してあり、レール係合部材摺動溝部１６の底面部１８には、この底面部１８のセンターＳに位置させて、凹部２０と押圧部２１とストッパー部２２とがこの順序に上から下にかけて形成してあり、また、レール係合部材摺動溝部１６の底面部１８には、センターＳから左右に等距離に位置させて突起部２３、２４が形成してある。
【００３４】
そして、レール係合部材１が、その左右のレール部２Ａ、２Ｂを摺動溝部１７に摺動可能に挿入してレール係合部材摺動溝部１６に取り付けてある。この場合、左のばね片部４の外面部４ａは左の突起部２３に、右のばね片部５の外面部５ａは右の突起部２４に、それぞれ摺接している。この場合、左右のばね片部４、５の付勢力は外方に向かっているために、この付勢力が、左右のばね片部４、５の外面部４ａ、５ａの曲線部ロを左右の突起部２３、２４に押し当てており、この曲線部ロと突起部２３、２４とが、付勢力をレール係合部材１の押上げ力に変換していて、レール係合部材１が押上げられて（前進させられて）、係合爪部８がレール用溝部１２側に突出している。
【００３５】
そして、保持手段は、レール係合部材１に設けた柱状部３の自由端部に係合片部６を形成すると共に、この係合片部６の基部に突起部７を設け、レール係合部材摺動溝部１６の底面部に、レール係合部材１を外力によりばね力に抗して押し下げた（後退させた）場合に、係合片部６に当接してこの係合片部６をレール３０の縁部３０Ｂの下側に押し込む押圧部２１と、レール係合部材１を外力によりばね力に抗して後退させた場合に、突起部７の下に当接するストッパー部２２とを設けて構成してある。
【００３６】
次に、上記のように取付構造を備えた電子機器のレールへの取付及び取外しを説明する。
レール３０は、電子機器Ａを取り付ける設備等に、例えば水平状態で設けてある。
【００３７】
電子機器Ａの裏側をレール３０に沿わせて、係合爪部８の外面をレール３０のの下縁部（辺縁部）３０Ｂに当てて、電子機器Ａをレール３０に押し付けることにより、係合爪部８の外面が傾斜面８Ａになっているために、押付け力が係合爪部８を押し下げる力に変換される。このために、レール係合部材１が押し下げられる。この場合、このレール係合部材１の押し下げにより、ばね片部４、５が左右の突起部２３、２４により内方に寄せられてばね力を蓄える。
【００３８】
上記のようにレール係合部材１が押し下げられることにより、電子機器Ａのレール用溝部１２にレール３０が挿入される。そして、係合爪部１４の内面とレール用溝部１２の底面部１２ａとの間のレール挿入溝１５にレール３０の上縁部３０Ａが挿入され、また、レール係合部材１は、左右のばね片部４、５の付勢力により押上げられて、レール係合部材１のレール当接面がレール３０の下縁部３０Ｂに当接して、係合爪部８がレール３０に係合する。
【００３９】
この場合、図６の（１）に示すようにレール係合部材１の柱状部３に設けた係合片部６がレール３０の下縁部３０Ｂに押されて、後方に倒れてレール係合部材摺動溝部１６の底面部１８の凹部２０内に収容される。また、レール係合部材摺動溝部１６の底面部１８に形成された押圧部２１とストッパー部２２とは係合片部６より離れている。このようにして、電子機器Ａがレール３０に取り付けられる。
【００４０】
次に、電子機器Ａをレール３０から取り外す場合には、レール係合部材１を工具（ドライバー）（図示せず）で下方向に押し下げると、図６の（２）に示すようにレール係合部材１のレール当接面がレール３０の下縁部３０Ｂより離れると共に、係合爪部８がレール３０より離れて、レール３０の下縁部３０Ｂの係合が解除される。これと同時に、係合片部６がレール３０の下縁部３０Ｂより離れ、この係合片部６が押圧部２１に当接して、この係合片部６が前方に押されて、レール３０の下縁部３０Ｂの端面下に係合し、また、ストッパー部２２が突起部７の下に当接する。
【００４１】
このために、レール係合部材１は、そのばね力による上昇が阻まれて、レール３０の下縁部３０Ｂを解放した状態のまま固定される。この操作を、すべての取付構造のレール係合部材３において行って、すべてのレール係合部材１をレール３０の下縁部３０Ｂを解放した状態のままに固定した後に、係合爪部１４のレール３０の上縁部３０Ａへの引っ掛けを解除して、電子機器Ａをレール３０から取り外す。
【００４２】
上記した実施の形態例にあっては、電子機器Ａをレール３０から取り外す場合に、レール係合部材１を、レール３０の下縁部３０Ｂを解放した状態のまま固定することができるために、複数のレール係合部材３を有する電子機器Ａでも、その取り外しを容易に行うことができる。
【００４３】
【発明の効果】
以上説明したように、本発明に係るレール係合部材によれば、このレール係合部材を外力によりばね力に抗して後退させた場合に、係合片部をレールの辺縁部の端面に係合させることができる。このために、レール係合部材を後退位置に保持することができる。したがって、例えば、形状が大きくレール係合部材を複数備えた被取付物（電子機器等）をレールから取り外す場合には、それぞれのレール係合部材を後退位置に保持することができるために、一人で、その取り外し作業を難なく行うことができる。
【００４４】
また、本発明に係る取付構造によれば、レール係合部材を保持手段により後退位置に保持することができるので、形状が大きくレール係合部材を複数備えた被取付物（電子機器等）をレールから取り外す場合には、それぞれのレール係合部材を保持手段により後退位置に保持することができるために、一人で、その取り外し作業を難なく行うことができる。
【図面の簡単な説明】
【図１】本発明に係る取付構造の正面図である。
【図２】同取付構造において、電子機器のケース本体の裏面に形成されたレール用溝部の正面図である。
【図３】図２のＸ−Ｘ線に沿う断面図である。
【図４】図２のＹ−Ｙ線に沿う断面図である。
【図５】同取付構造におけるレール係合部材の裏側からみた斜視図である。
【図６】（１）は電子機器の装置本体をレールに取り付けた状態の断面図である。
（２）は電子機器の装置本体をレールに取り付けた状態でレール係合部材を押し下げた場合の断面図である。
【図７】従来の取付構造の正面図である。
【符号の説明】
１  レール係合部材
２  部材本体
３  柱状部
４  ばね片部
５  ばね片部
６  係合片部
７  突起部
８  係合爪部
【図１】
0003687307.tif 000002
【図２】
0003687307.tif 000003
【図３】
0003687307.tif 000004
【図４】
0003687307.tif 000005
【図５】
0003687307.tif 000006
【図６】
0003687307.tif 000007
【図７】
0003687307.tif 000008